(57)【要約】【課題】メッセージが既読であるか未読であるかの判別や、メッセージ内に含まれる例えば写真などの情報の確認を容易とした構成を実現する。【解決手段】受信メッセージに含まれる情報をテンプレート上に展開したポストカードをサーバから取得して表示する。表示するポストカードは、既読メッセージと、未読メッセージとを判別可能とした異なる表示態様を持つポストカードとした。例えば、既読メッセージについては、メッセージに含まれるメッセージ本文と画像データを配置したポストカード、未読メッセージは、メッセージ送信先と送信元情報のみを含むポストカードとして表示する。この処理によって、ユーザは未読／既読の判別が容易となり、また既読メッセージについては再開封処理を行うことなくメッセージ本文および画像を確認することができる。【選択図】図５
2010176248.tif 000002
【特許請求の範囲】
【請求項１】
データ表示処理を行う表示部と、
ユーザ入力情報を入力する入力部と、
サーバとの通信を実行する通信部と、
前記入力部を介した入力情報に応じて前記表示部に対する受信メッセージの表示制御を実行する制御部を有し、
前記制御部は、
受信メッセージに含まれる情報を予めサーバにおいて選択されたテンプレート上に展開したポストカードとして前記表示部に表示する処理を実行し、
既読メッセージ対応のポストカードと、未読メッセージ対応のポストカードの表示データを異なる表示態様を持つポストカードとして既読メッセージであるか未読メッセージであるかの判別を可能とした表示処理を行う情報処理装置。
【請求項２】
前記制御部は、
既読メッセージについては、メッセージに含まれるメッセージ本文と画像データを配置した既読メッセージ対応のテンプレートを用いたポストカードとして表示し、
未読メッセージについては、メッセージに含まれるメッセージ本文と画像データを含まない未読メッセージ対応のテンプレートを用いたポストカードとして表示する処理を行う請求項１に記載の情報処理装置。
【請求項３】
前記制御部は、
未読メッセージについては、メッセージ送信先情報とメッセージ送信元情報のみを含むポストカードとして表示する処理を行う請求項１に記載の情報処理装置。
【請求項４】
前記制御部は、
既読メッセージ対応のポストカードと、未読メッセージ対応のポストカードの大きさを異なる大きさとして表示する処理を行う請求項１に記載の情報処理装置。
【請求項５】
前記制御部は、
複数の受信メッセージに対応する複数のポストカードの少なくとも一部領域を重ねた表示態様を持つポストカード配列を表示し、さらに、メッセージに対する処理プログラムであるアプリケーション設定に適用する画面をアプリケーション設定カードとして前記ポストカード配列中に混在させて表示し、
前記入力部から入力されるポストカードまたはアプリケーションカードの選択および決定情報に応じて、選択ポストカードまたはアプリケーション設定カードの拡大表示処理を実行する請求項１に記載の情報処理装置。
【請求項６】
前記制御部は、
表示部に前記ポストカード配列を表示した状態で、前記入力部からの入力情報に従って、ポストカード配列を変更するページ送り処理を行う請求項５に記載の情報処理装置。
【請求項７】
受信メッセージとテンプレートを格納した記憶部と、
データ表示装置との通信処理を実行する通信部と、
データ表示装置からのメッセージ閲覧要求に応じて記憶部に格納した受信メッセージの提供処理を実行する制御部を有し、
前記制御部は、
受信メッセージ対応のテンプレートを選択し、選択テンプレートとメッセージとの関連付けを行い、データ表示装置からのメッセージ閲覧要求に応じてメッセージに含まれる情報を選択テンプレート上に展開したポストカードとして前記データ表示装置に提供する処理を行う情報処理装置。
【請求項８】
前記制御部は、
既読メッセージについては、メッセージに含まれるメッセージ本文と画像データを配置した既読メッセージ対応のテンプレートを用いたポストカードとして前記データ表示装置に提供し、
未読メッセージについては、メッセージに含まれるメッセージ本文と画像データを含まない未読メッセージ対応のテンプレートを用いたポストカードとして前記データ表示装置に提供する処理を行う請求項７に記載の情報処理装置。
【請求項９】
情報処理装置において実行する情報処理方法であり、
制御部が、通信部を介してサーバに対するメッセージ閲覧要求を出力するステップと、
前記制御部が、受信メッセージに含まれる情報をテンプレート上に展開したポストカード情報をサーバから取得し表示部に表示するステップであり、既読メッセージと、未読メッセージとを判別可能とした異なる表示態様を持つポストカードとして表示する処理を行うステップと、
を有する情報処理方法。
【請求項１０】
情報処理装置において情報処理を実行させるプログラムであり、
制御部に、通信部を介してサーバに対するメッセージ閲覧要求を出力させるステップと、
前記制御部に、受信メッセージに含まれる情報をテンプレート上に展開したポストカード情報をサーバから取得させて表示部に表示させるステップであり、既読メッセージと、未読メッセージとを判別可能とした異なる表示態様を持つポストカードとして表示する処理を行わせるステップと、
を有するプログラム。
【発明の詳細な説明】
【技術分野】
【０００１】
本発明は、情報処理装置、および情報処理方法、並びにプログラムに関する。例えばユーザが撮影した写真などの画像データを遠隔地のテレビなどの表示装置に表示するシステムに適用する情報処理装置、および情報処理方法、並びにプログラムに関する。
【背景技術】
【０００２】
ユーザが撮影した写真などの画像データは、例えばネットワークを介した通信メッセージに添付して送信することが可能である。このような処理により画像データを遠隔地の表示装置、例えばＰＣやテレビなどの装置に表示して閲覧することができる。なお、ネットワークを介した画像データの送受信および閲覧システムを開示した従来技術には、例えば特許文献１（特開２００４−２７４２６０号公報）や、特許文献２（特開２００７−５２５５９号公報）などがある。
【０００３】
現在、利用されているメッセージ送受信システムには、装置がメッセージを受信した場合に受信メッセージがあることをユーザに知らせる受信通知を可能としたものがある。しかし、受信メッセージに添付された画像の内容はメッセージを開封しなければ知ることができない。
【０００４】
例えば、メッセージを受信した装置のディスプレイに受信メッセージのリストであるメッセージリストが表示される。しかし、このメッセージリストには、メッセージ件名や、メッセージ送信者情報が記載されるのみであり、メッセージに含まれる画像の内容は知ることができない。メッセージに添付された画像の内容を知るためには、ユーザはメッセージリストから特定のメッセージを選択して、選択したメッセージを開封しなければならない。
【０００５】
例えば多くの画像添付メッセージを受信し、メッセージリストに多くのメッセージがリストアップされている状態で、その中の１つの画像のみを見たい場合にも、ユーザは１つ１つのメッセージを順次、選択して順次開封する処理を行って１つ１つのメッセージ添付画像を確認しなければならない。このような処理は、ユーザ負担を増加させるという問題を発生させる。
【先行技術文献】
【特許文献】
【０００６】
【特許文献１】特開２００４−２７４２６０号公報
【特許文献２】特開２００７−５２５５９号公報
【発明の概要】
【発明が解決しようとする課題】
【０００７】
本発明は、このような状況に鑑みてなされたものであり、メッセージに添付された画像を効率的に確認可能としてユーザ負担を軽減した情報処理装置、および情報処理方法、並びにプログラムを提供することを目的とする。
【課題を解決するための手段】
【０００８】
本発明の第１の側面は、
データ表示処理を行う表示部と、
ユーザ入力情報を入力する入力部と、
サーバとの通信を実行する通信部と、
前記入力部を介した入力情報に応じて前記表示部に対する受信メッセージの表示制御を実行する制御部を有し、
前記制御部は、
受信メッセージに含まれる情報を予めサーバにおいて選択されたテンプレート上に展開したポストカードとして前記表示部に表示する処理を実行し、
既読メッセージ対応のポストカードと、未読メッセージ対応のポストカードの表示データを異なる表示態様を持つポストカードとして既読メッセージであるか未読メッセージであるかの判別を可能とした表示処理を行う情報処理装置にある。
【０００９】
さらに、本発明の情報処理装置の一実施態様において、前記制御部は、既読メッセージについては、メッセージに含まれるメッセージ本文と画像データを配置した既読メッセージ対応のテンプレートを用いたポストカードとして表示し、未読メッセージについては、メッセージに含まれるメッセージ本文と画像データを含まない未読メッセージ対応のテンプレートを用いたポストカードとして表示する処理を行う。
【００１０】
さらに、本発明の情報処理装置の一実施態様において、前記制御部は、未読メッセージについては、メッセージ送信先情報とメッセージ送信元情報のみを含むポストカードとして表示する処理を行う。
【００１１】
さらに、本発明の情報処理装置の一実施態様において、前記制御部は、既読メッセージ対応のポストカードと、未読メッセージ対応のポストカードの大きさを異なる大きさとして表示する処理を行う。
【００１２】
さらに、本発明の情報処理装置の一実施態様において、前記制御部は、複数の受信メッセージに対応する複数のポストカードの少なくとも一部領域を重ねた表示態様を持つポストカード配列を表示し、さらに、メッセージに対する処理プログラムであるアプリケーション設定に適用する画面をアプリケーション設定カードとして前記ポストカード配列中に混在させて表示し、前記入力部から入力されるポストカードまたはアプリケーションカードの選択および決定情報に応じて、選択ポストカードまたはアプリケーション設定カードの拡大表示処理を実行する。
【００１３】
さらに、本発明の情報処理装置の一実施態様において、前記制御部は、表示部に前記ポストカード配列を表示した状態で、前記入力部からの入力情報に従って、ポストカード配列を変更するページ送り処理を行う。
【００１４】
さらに、本発明の第２の側面は、
受信メッセージとテンプレートを格納した記憶部と、
データ表示装置との通信処理を実行する通信部と、
データ表示装置からのメッセージ閲覧要求に応じて記憶部に格納した受信メッセージの提供処理を実行する制御部を有し、
前記制御部は、
受信メッセージ対応のテンプレートを選択し、選択テンプレートとメッセージとの関連付けを行い、データ表示装置からのメッセージ閲覧要求に応じてメッセージに含まれる情報を選択テンプレート上に展開したポストカードとして前記データ表示装置に提供する処理を行う情報処理装置にある。
【００１５】
さらに、本発明の情報処理装置の一実施態様において、前記制御部は、既読メッセージについては、メッセージに含まれるメッセージ本文と画像データを配置した既読メッセージ対応のテンプレートを用いたポストカードとして前記データ表示装置に提供し、未読メッセージについては、メッセージに含まれるメッセージ本文と画像データを含まない未読メッセージ対応のテンプレートを用いたポストカードとして前記データ表示装置に提供する処理を行う。
【００１６】
さらに、本発明の第３の側面は、
情報処理装置において実行する情報処理方法であり、
制御部が、通信部を介してサーバに対するメッセージ閲覧要求を出力するステップと、
前記制御部が、受信メッセージに含まれる情報をテンプレート上に展開したポストカード情報をサーバから取得し表示部に表示するステップであり、既読メッセージと、未読メッセージとを判別可能とした異なる表示態様を持つポストカードとして表示する処理を行うステップと、
を有する情報処理方法にある。
【００１７】
さらに、本発明の第４の側面は、
情報処理装置において情報処理を実行させるプログラムであり、
制御部に、通信部を介してサーバに対するメッセージ閲覧要求を出力させるステップと、
前記制御部に、受信メッセージに含まれる情報をテンプレート上に展開したポストカード情報をサーバから取得させて表示部に表示させるステップであり、既読メッセージと、未読メッセージとを判別可能とした異なる表示態様を持つポストカードとして表示する処理を行わせるステップと、
を有するプログラムにある。
【００１８】
なお、本発明のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。
【００１９】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２０】
本発明の一実施例の構成によれば、例えばテレビ等の表示装置に受信メッセージを表示する構成において、受信メッセージに含まれる情報をテンプレート上に展開したポストカードをサーバから取得して表示する。表示するポストカードは、既読メッセージと、未読メッセージとを判別可能とした異なる表示態様を持つポストカードとした。例えば、既読メッセージについては、メッセージに含まれるメッセージ本文と画像データを配置したポストカード、未読メッセージは、メッセージ送信先と送信元情報のみを含むポストカードとして表示する。この処理によって、ユーザは未読／既読の判別が容易となり、また既読メッセージについては再開封処理を行うことなくメッセージ本文および画像を確認することができる。
【図面の簡単な説明】
【００２１】
【図１】本発明の情報処理システムの一構成例について説明する図である。
【図２】サーバが記憶部に格納するデータ構成例について説明する図である。
【図３】データ送信装置と、サーバと、データ表示装置間で実行する通信シーケンスについて説明する図である。
【図４】サーバがメッセージに対応付けたテンプレートを利用したポストカードからなるカードリストの表示例を示す図である。
【図５】データ表示装置側において利用されるリモコンとリモコンを利用した処理例について説明する図である。
【図６】サーバがメッセージに対応付けたテンプレートを利用したポストカードの構成例について説明する図である。
【図７】アプリケーション設定カードの構成例と利用処理について説明する図である。
【図８】サーバがメッセージに対応付けたテンプレートを利用したポストカードからなるカードリストの表示例を示す図である。
【図９】データ表示装置において実行する処理シーケンスを説明するフローチャートを示す図である。
【図１０】サーバにおいて実行する処理シーケンスを説明するフローチャートを示す図である。
【図１１】データ送信装置と、サーバと、データ表示装置のハードウェア構成例について説明する図である。
【発明を実施するための形態】
【００２２】
以下、図面を参照しながら本発明の情報処理装置、および情報処理方法、並びにプログラムの詳細について説明する。なお、説明は、以下の項目順に行う。
１．メッセージ送受信を行う情報処理システムの構成例
２．メッセージ送受信を行う装置間の通信シーケンス例
３．データ表示装置における表示データと表示データに対する処理例
４．アプリケーション設定カードを利用した処理例
５．その他のカードリスト表示例
６．各装置の処理シーケンスについて
７．各装置のハードウェア構成について
【００２３】
［１．メッセージ送受信を行う情報処理システムの構成例］
図１に本発明の一実施例に係る情報処理システムの構成例を示す。本発明の一実施例に係る情報処理システムは、図１に示すように、例えば携帯電話などのデータ送信装置１１０、サーバ１２０、さらにテレビなどのデータ表示装置１３０を有する。データ送信装置１１０、サーバ１２０、データ表示装置１３０は、それぞれ無線または有線ネットワークを介した通信を実行する機能を有する装置である。
【００２４】
データ送信装置１１０は、メッセージ送信処理を実行し、データ表示装置１３０はデータ送信装置１１０の送信したメッセージを受信して表示する処理を行う。サーバ１２０は、これらデータ送信装置１１０とデータ表示装置１３０間のメッセージの中継処理を実行する。
【００２５】
データ送信装置１１０は、カメラ機能を有し、静止画あるいは動画などの画像撮影が可能な構成であり、撮影した画像をメッセージに添付して、メッセージ送信先アドレスを設定して送信する処理を行なう。図１において、メッセージ送信先アドレスの設定された装置はデータ表示装置１３０であるとする。
【００２６】
データ送信装置１１０は、予め規定されたフォーマットに従って画像添付メッセージを作成して送信する。メッセージフォーマットは、例えば以下の情報を記入または設定可能なフォーマットである。
メッセージ送信先情報（Ｔｏ）：例えば「おじいちゃん、おばあちゃんへ」
メッセージ送信元情報（Ｆｒｏｍ）：例えば「慶子」
メッセージ本文：例えば「お元気ですか・・・・」
メッセージ添付画像：例えば写真１〜３枚
メッセージ送信元アドレス
メッセージ送信先アドレス
データ送信装置１１０は、このような予め規定されたフォーマットに従って画像添付メッセージを作成して送信する。
【００２７】
送信されたメッセージは、サーバ１２０が受信する。サーバ１２０は、データ送信装置１１０からの送信メッセージを受信すると、受信メッセージを記憶部１２１に格納する。データ送信装置１１０の送信したメッセージにはメッセージ送信先を示すメッセージ送信先アドレスが設定されている。サーバ１２０は、受信メッセージをメッセージ送信先アドレス単位で記憶部１２１に格納する。
【００２８】
サーバ１２０の管理する記憶部１２１は、メッセージ送信先アドレス単位で予め区分された記憶領域を有しており、サーバ１２０は、受信メッセージをメッセージ送信先アドレス単位で整理して記憶部１２１に格納する。なお、受信メッセージには１つ以上の画像データが添付されているものとする。
【００２９】
データ表示装置１３０は、データ送信装置１１０の送信メッセージに設定されたメッセージ送信先アドレスを持つ装置である。データ表示装置１３０は、データ表示装置１３０内の記憶部にメッセージの受信、閲覧を行うためのプログラムであるメッセージ処理アプリケーションを保持している。
【００３０】
データ表示装置１３０は、メッセージ処理アプリケーションを実行することで、サーバ１２０の受信したメッセージをサーバ１２０から取得して表示することができる。なお、データ表示装置１３０とサーバ１２０は、例えばインターネットなどのネットワークによって接続されている。
【００３１】
データ表示装置１３０は、メッセージ処理アプリケーションを実行するための事前準備として、サーバ１２０に対して、データ表示装置１３０のアドレス登録など、様々な設定処理を含むサービス登録処理を行う。
【００３２】
例えば、図１に示すように、アドレス［ａｂｃｄ＠ｔｖｍａｌｅｘｙｚ．ｃｏｍ］をデータ表示装置１３０のアドレスとしてサーバ１２０に登録する。サーバ１２０は、登録したアドレス単位で、記憶部１２１にメッセージ格納領域を確保する。
【００３３】
サーバ１２０はデータ送信装置１１０から送信されたメッセージのメッセージ送信先アドレスを確認し、メッセージ送信先アドレスが登録済みのアドレスに一致する場合、その受信メッセージデータを記憶部１２１に格納する。
【００３４】
記憶部１２１のメッセージ格納例を図２に示す。図２に示すように、サーバ１２０は、登録済みのメッセージ送信先アドレス単位で記憶部１２１にメッセージ格納領域を確保しており、受信メッセージは、各メッセージ送信先アドレス対応の記憶領域に格納される。
【００３５】
データ表示装置１３０は、所定時間間隔ごとにサーバ１２０にアクセスするポーリング処理を行い、自装置（データ表示装置１３０）宛ての新着メッセージがあるか否かの確認を行う。自装置（データ表示装置１３０）宛ての新着メッセージがある場合には、サーバ１２０から、データ表示装置１３０に対して新着メッセージがある旨の通知がなされ、データ表示装置１３０に、例えば［新着メッセージがあります］といった表示が行われる。
【００３６】
例えば、データ表示装置１３０でテレビ番組を見ているユーザは、この通知を見て新着メッセージがあることを確認することができる。ユーザがメッセージを閲覧したい場合は、メッセージ処理アプリケーションを起動して、サーバ１２０の記憶部１２１に格納されたメッセージを取得して表示する。
【００３７】
なお、データ表示装置１３０は、新着メッセージの有無に関わらず、任意のタイミングでメッセージ処理アプリケーションを起動して、サーバ１２０の記憶部１２１に格納されたメッセージを取得して表示することが可能である。
【００３８】
サーバ１２０は、データ表示装置１３０に対して、データ表示装置１３０側のユーザが既に内容を確認した既読メッセージと、内容を確認していない未読メッセージを区別した態様の表示データ（ポストカード）を作成して提供する。具体的な表示データ例については後段で詳細に説明するが、
例えば、既読メッセージについては、メッセージに含まれるメッセージ本文（テキスト）と、メッセージに添付された写真などの画像を所定のテンプレート上に配置したポストカード（ポストカードＡ面）としてデータ表示装置１３０に提供する。
【００３９】
また未読のメッセージは、例えば、
メッセージ送信先情報（Ｔｏ）：例えば「おじいちゃん、おばあちゃんへ」
メッセージ送信元情報（Ｆｒｏｍ）：例えば「慶子」
これらのメッセージ送信先／送信元情報のみを表示したポストカード（ポストカードＢ面）の形式の表示データとしてデータ表示装置１３０に提供する。
これらの具体的な処理例については後段で説明する。
【００４０】
［２．メッセージ送受信を行う装置間の通信シーケンス例］
次に、データ送信装置１１０、サーバ１２０、データ表示装置１３０間で実行する一連の通信処理シーケンスについて図３を参照して説明する。図３には、図１と同様、データ送信装置１１０、サーバ１２０、データ表示装置１３０を示している。
【００４１】
まず、ステップＳ１１において、データ表示装置１３０は、サーバ１２０に対して自装置のアドレス登録などのサービス登録処理を行う。なお、このサービス登録処理に際しては、自装置のアドレスのみではなく、例えばメッセージ送信を許容する装置のアドレスを登録することも可能である。例えばメッセージ送信を許容する装置としてデータ送信装置１１０のアドレスのみを登録すれば、その他の装置からのメッセージはサーバ１２０において受信拒否され、サーバ１２０の記憶部１２１には格納されない。
【００４２】
ステップＳ１２は、携帯電話などのデータ送信装置１１０によるメッセージ送信ステップである。メッセージには携帯電話などのデータ送信装置１１０において撮影した画像が添付される。
【００４３】
送信メッセージはサーバ１２０が受信し、サーバ１２０はステップＳ１３において、サーバ１２０の管理する記憶部１２１に格納する。たとえば図２を参照して説明したように、メッセージ送信先アドレス単位で区分された記憶領域に格納される。
【００４４】
ステップＳ１４において、新着メッセージが発生したことを示す新着メッセージ通知がデータ表示装置１３０に送信され、データ表示装置１３０の表示部に表示される。データ表示装置１３０に、例えば［新着メッセージがあります］といった表示が行われる。
【００４５】
なお、先に説明したように、データ表示装置１３０は、所定時間間隔ごとにサーバ１２０にアクセスするポーリング処理を行い、自装置（データ表示装置１３０）宛ての新着メッセージがあるか否かの確認を行っている。このポーリング処理において、自装置（データ表示装置１３０）宛ての新着メッセージがあることが確認された場合に、ステップＳ１４の新着メッセージ通知が行われる。
【００４６】
データ表示装置１３０でテレビ番組を見ているユーザは、この通知を見て新着メッセージがあることを確認する。ユーザがメッセージを閲覧したい場合は、ステップＳ１５において、メッセージ処理アプリケーションを起動してサーバ１２０にメッセージ閲覧要求を送信する。なお、前述したようにデータ表示装置１３０は、新着メッセージの有無に関わらず、任意のタイミングでメッセージ処理アプリケーションを起動して、サーバ１２０にメッセージ閲覧要求を送信することが可能である。
【００４７】
メッセージ閲覧要求を受信したサーバ１２０は、ステップＳ１６において、記憶部１２１からメッセージを取得し、データ表示装置１３０に提供するための表示データ、すなわちポストカードを作成する。
【００４８】
この表示データとしてのポストカードは、先に説明したように、既読メッセージについては、メッセージに含まれるテキストとメッセージに添付された写真などの画像を所定のテンプレート上に配置したポストカードであり、未読のメッセージは、メッセージ送信先／送信元情報のみを表示したポストカード形式の表示データである。
【００４９】
ステップＳ１７では、この表示データがデータ表示装置１３０に提供される。ステップＳ１８では、データ表示装置１３０に、サーバ１２０から提供されたデータ、例えば、複数のポストカードから構成される表示データが表示される。
【００５０】
さらに、ステップＳ１８では、データ表示装置１３０側のユーザが、データ表示装置１３０対応のリモコン（ＴＶリモコン）の操作部を操作して、未読のポストカードの開封処理や、既読のポストカードの拡大表示処理などを行う。
【００５１】
［３．データ表示装置における表示データと表示データに対する処理例］
ステップＳ１７において、サーバ１２０がデータ表示装置１３０に提供する表示データの例を図４に示す。図４に示す表示データ２００は、データ表示装置１３０が、サーバ１２０に対してメッセージ閲覧要求を実行した場合に、データ表示装置１３０の表示部に表示されるデータ例である。この表示データは、サーバ１２０が記憶部１２１に記憶しているデータ表示装置１３０対応のアドレスをメッセージ送信先アドレスとした複数のメッセージをポストカード形式として設定したカードリストである。
【００５２】
図４に示すように、カードリストは、複数のポストカードが重なった表示態様として表示される。
表示されるポストカードは、以下の態様を持つポストカードである。
既読メッセージは、メッセージに含まれるメッセージ本文（テキスト）と、メッセージに添付された写真などの画像を所定のテンプレート上に配置したポストカードである。
これらは、図４に示すポストカード２１１，２１３，２１５に対応する。
【００５３】
また、未読メッセージは、
メッセージ送信先／送信元情報のみを表示したポストカードとなる。
これらは、図４に示すポストカード２１４，２１６に対応する。
【００５４】
さらにカードリストにはアプリケーション設定カード２１２が含まれる。アプリケーション設定カード２１２は、メッセージ処理アプリケーションの設定処理や、設定変更処理などを行う際にユーザが選択する。
【００５５】
データ表示装置１３０側のユーザは、データ表示装置１３０に対応するリモコン（ＴＶリモコン）を操作して、表示リストから希望のデータ（ポストカードまたはアプリケーション設定カード）を選択して、選択データに対する処理を行うことができる。例えば、図５に示すようなリモコン３００を操作する。
【００５６】
リモコン３００の左右指示ボタン３０１，３０２を操作することで、データ表示装置１３０の表示データからの選択データを図５に示す矢印３１１，３１２に従って移動させることができる。すなわち、左右指示ボタン３０１，３０２を操作することで、各ポストカードの順番を入れ替えて、各ポストカードを順番に最前列の位置に移動させるページ送りを行うことができる。いずれかのデータを選択した状態で決定ボタン３０３を押下することで、選択データに対する処理を開始することができる。
【００５７】
例えば、図４に示すポストカード２１１，２１３，２１５のいずれかを選択して拡大表示することができる。あるいは未読メッセージ２１４，２１６を選択して開封処理を行うことができる。開封処理を行うと、メッセージに含まれる文書（テキスト）と画像が、サーバ１２０の保有する既読メッセージ対応のテンプレート上に展開され、既読メッセージ対応のポストカード形式で表示される。メッセージ本文（テキスト）と、メッセージに添付された写真などの画像を所定のテンプレート上に配置したポストカードである。
【００５８】
アプリケーション設定カード２１２を選択した場合は、メッセージ処理アプリケーションの設定処理や、設定変更処理などを行うことができる。
【００５９】
開封済みの図４に示すポストカード２１１，２１３，２１５のいずれかを選択して、決定ボタンを押下することで、選択したポストカードが拡大表示される。メッセージ本文（テキスト）と、メッセージに添付された写真などの画像を所定のテンプレート上に配置したポストカードである。図６に、拡大表示した場合のポストカード３５０の一例を示す。図６に示すように、ポストカード３５０は、予め様々なデザインが施されたテンプレート３５１に、データ送信装置１１０が送信したメッセージに含まれるメッセージ本文（テキスト）３５２と、写真などの画像データ３５３，３５４を配置した構成を持つ。
【００６０】
テンプレートは、予めサーバ１２０が記憶部１２１に格納しているデータである。サーバ１２０は、異なるデザインを持つ多数のテンプレートを記憶部１２１に保持している。例えばデータ表示装置１３０側のユーザによってメッセージの開封処理が行われると、サーバ１２０は、サーバ１２０の保有する多数のテンプレートから、ランダムに、あるいはメッセージに含まれる情報を取得して取得情報に基づいて１つのテンプレートを選択し、メッセージに含まれる文書と画像をテンプレート上に配置したポストカードを生成する。
【００６１】
サーバ１２０は生成したメッセージ対応のポストカードをデータ表示装置１３０に提供する。なお、一度開封されたメッセージに対しては、その後、既読メッセージであることを示す識別情報（フラグ）が設定される。既読メッセージは、既読を示す識別情報（フラグ）と、ポストカード生成に利用したテンプレートとのリンク情報とともにサーバ１２０の記憶部１２１に格納される。未読メッセージについても、未読メッセージであることを示す識別情報が設定されて記憶部１２１に格納される。未読メッセージに対しては、図４のポストカード２１６に示すようなメッセージ送信先／送信元情報のみを表示するテンプレートがリンク情報として設定される。
【００６２】
なお、サーバ１２０によるメッセージに対応するポストカードの生成処理のタイミングは、データ表示装置１３０側のユーザによるメッセージ開封処理時に実行してもよいし、データ送信装置１１０からのメッセージ受信処理に際して実行する構成としてもよい。
【００６３】
サーバ１２０の実行するポストカードの生成処理は、
未読メッセージ対応のテンプレート選択処理、
既読メッセージ対応のテンプレート選択処理、
これらのテンプレート選択処理を含む処理として行われる。
【００６４】
サーバ１２０は、既読メッセージ対応のテンプレートとして、様々なデザインを持つ多数種類のテンプレートを記憶部１２１に格納している。サーバ１２０は、メッセージに対応付けるテンプレートを多数のテンプレートから１つ選択する。このテンプレート選択処理が実行されると、サーバ１２０は、記憶部１２１に格納するメッセージに対して選択したテンプレートをメッセージに対応するリンク情報として設定して記憶部に格納する。また、未読メッセージ対応のテンプレートは、図４のポストカード２１６に示すようなメッセージ送信先／送信元情報のみを表示するテンプレートである。このテンプレートは１つのみとしてもよいが、複数の異なるテンプレートから選択する構成としてもよい。この未読メッセージのテンプレートについても、メッセージに対応するリンク情報として設定して記憶部に格納する。
【００６５】
サーバ１２０は、既読メッセージについては、既読メッセージ対応のテンプレートとのリンク情報と、既読であることを示す識別情報（フラグ）をメッセージに対応付けて記憶部１２１に格納する。
未読メッセージについては、未読メッセージ対応のテンプレートとのリンク情報と、未読であることを示す識別情報（フラグ）をメッセージに対応付けて記憶部１２１に格納する。
なお、未読メッセージについては、さらに開封処理後に利用するために、予め既読メッセージ対応のテンプレートを選択しておいてもよい。この場合は、予め選択した既読メッセージ対応のテンプレートとのリンク情報も未読メッセージに対応付けて記憶部１２１に格納する構成としてもよい。
【００６６】
サーバ１２０は、図４に示すカードリストを生成する場合に、各メッセージ対応の識別情報（フラグ）を参照して表示態様を決定する。
すなわち、既読メッセージは、既読メッセージ対応のテンプレートにメッセージ本文（テキスト）と、写真などの画像データを展開したポストカード、
未読メッセージは、メッセージ送信先／送信元情報のみを表示するテンプレートを利用したポストカード、
このような異なるポストカード形式の表示データを生成してデータ表示装置１３０に提供する。
【００６７】
データ表示装置１３０側のユーザによって未読メッセージの開封処理が行われた場合は、サーバ１２０は以下の処理を行う。
そのメッセージに既読メッセージ対応のテンプレートがリンクデータとして既に関連付けられている場合は、その関連付けられた既読メッセージ対応のテンプレートを利用して、メッセージ本文（テキスト）と画像をテンプレート上に配置したポストカードを生成してデータ表示装置１３０に提供する。さらに、メッセージの開封／未読状態を識別するための識別情報（フラグ）を開封状態に設定して記憶部１２１に格納する。
【００６８】
また、データ表示装置１３０側のユーザによって未読メッセージの開封処理が行われた時点で、その新規開封メッセージにリンクした既読メッセージ対応のテンプレートが設定されていない場合は、サーバ１２０は以下の処理を行う。
【００６９】
サーバ１２０は、新たに開封処理がなされたメッセージに対応する既読メッセージ対応のテンプレートの選択処理を実行する。次に、選択したテンプレートを利用して、メッセージに含まれるメッセージ本文（テキスト）と画像をテンプレート上に配置したポストカードを生成してデータ表示装置１３０に提供する。さらに、選択したテンプレートをメッセージ対応のテンプレートとするリンク情報を設定し、メッセージの開封／未読状態を識別するための識別情報（フラグ）を開封状態に設定して記憶部１２１に格納する。
【００７０】
データ表示装置１３０宛てに送信されたメッセージは、このような処理によって、図４に示すような複数のポストカードが重なったカードリストとして表示されることになる。
【００７１】
データ表示装置１３０側のユーザは、図５を参照して説明したリモコン３００の操作によってポストカードを順次選択して拡大表示することが可能である。この場合、既読メッセージに対しては、メッセージの再開封処理を行うことなくメッセージに含まれるメッセージ本文と、写真などの画像をポストカード形式で確認することが可能となる。
【００７２】
すなわち、リモコン３００の左右ボタン３０１，３０２によるポストカードの選択と、決定ボタン３０３の操作のみで、図６に示すメッセージに含まれるメッセージ本文と、写真などの画像をポストカード形式で確認できる。ユーザはメッセージの再開封処理を行うことなくメッセージ本文やメッセージに添付された画像を確認可能であり、ユーザの負担が軽減される。
【００７３】
［４．アプリケーション設定カードを利用した処理例］
次に、図４に示すアプリケーション設定カード２５３を選択した場合の処理について説明する。ユーザは、ポストカードの選択処理と同様、リモコン３００の左右ボタン３０１，３０２によるポストカードの選択と、決定ボタン３０３の操作によって、図４に示すアプリケーション設定カード２５３を選択して処理を開始することができる。
【００７４】
このアプリケーション設定カード２５３を選択して処理を開始すると、アプリケーション設定カード２５３が拡大表示される。アプリケーション設定カードの拡大表示例を図７に示す。
【００７５】
アプリケーション設定カードは、例えば図７に示すような構成を持つ。図７に示すように、［受信アドレスの設定処理］、［送信許容アドレスの設定処理］など、アプリケーションの設定変更を行う画面が提示される。
【００７６】
データ表示装置１３０側のユーザは、このアプリケーション設定画面を利用して、データ表示装置１３０とサーバ１２０との通信によって、各種の設定を行なうことができる。この処理においても、データ表示装置１３０側のユーザは図５に示すリモコン３００のボタン操作のみによって各種の設定を行う。
【００７７】
例えば、図７に示す画面表示において、［受信アドレスの設定処理］〜［終了］の選択は、リモコン３００の左右ボタン３０１，３０２によって順次、選択される。選択後、決定ボタン３０３を操作することで、選択した処理が実行される。例えば、［送信許容アドレスの設定処理］を選択して決定ボタンを操作すれば、［送信許容アドレスの設定処理］を実行するための具体的な処理実行画面に移行し、処理が可能となる。
【００７８】
このようにアプリケーション設定処理もポストカードの選択処理と同様の処理で実行可能であり、例えばＰＣなどを操作したことがない子供や高齢者などのユーザであっても容易にアプリケーション設定を行うことが可能となる。
【００７９】
［５．その他のカードリスト表示例］
なお、カードリストの表示態様として図４に一例を示したが、基本的には、
（ａ）既読メッセージ、
（ｂ）未読メッセージ、
（ｃ）アプリケーション設定カード、
これらの３種類のデータが区別可能な設定であればよい。すなわち、これら（ａ）〜（ｃ）の各々が異なる表示態様によって表示し、ユーザが上記（ａ）〜（ｃ）のデータを区別できる設定で表示する構成とすればよい。
【００８０】
例えば図８に示す表示データ３８０のように、未読メッセージ対応のポストカード３８４，３８６を、他のカードデータより際立たせるために、これらの未読メッセージ対応のポストカード３８４，３８６の表示サイズを、他のカードデータ、すなわち、既読メッセージであるポストカード３８１，３８３，３８５、およびアプリケーションカード３８２より大きな表示サイズとする設定としてもよい。この他にも、表示色の変更、輝度を変更、点滅状態の表示など、様々な表示態様を適用することが可能である。
【００８１】
［６．各装置の処理シーケンスについて］
次に、図９、図１０に示すフローチャートを参照してデータ表示装置１３０の処理シーケンス、およびサーバ１２０の処理シーケンスについて説明する。
【００８２】
まず、図９に示すフローチャートを参照してデータ表示装置１３０の処理シーケンスについて説明する。このフローは、データ表示装置１３０の記憶部に格納されたプログラムであるメッセージ処理アプリケーションをデータ表示装置１３０の制御部（ＣＰＵ）において実行することで行われる。
【００８３】
データ表示装置１３０は、まず、ステップＳ１０１において、メッセージ送受信サービスを受けるためのサービス登録処理を行う。これはデータ表示装置１３０対応のアドレス登録処理や、通信許容アドレスの設定処理などの処理であり、サーバ１２０との通信を実行して行う。なお、この処理は、初期設定処理であり、１度実行すればよい。
【００８４】
ステップＳ１０２以下の処理は、データ表示装置１３０宛てのメッセージを閲覧する場合に実行する処理である。
ステップＳ１０２において、データ表示装置１３０は、メッセージ閲覧要求をサーバ１２０に出力する。サーバ１２０は、この要求に応じて、データ表示装置１３０宛てのメッセージを記憶部１２１から取得してメッセージ対応のテンプレートを利用したポストカード形式の表示データからなるカードリスト（図４参照）をデータ表示装置１３０に提供する。
【００８５】
ステップＳ１０３において、データ表示装置１３０は、サーバ１２０からカードリストを受信して、表示部に表示する。この表示データは先に図４を参照して説明したポストカードが重なったカードリストである。すなわち未読メッセージと既読メッセージを判別可能とした異なる表示態様を持つポストカードによって構成されたカードリストである。さらにアプリケーション設定カードを含むポストカードの集合からなる表示データである。
【００８６】
ステップＳ１０４において、データ表示装置１３０側のユーザは、例えばリモコン（図５参照）を操作して、カードリストから１つのカードを選択する。先に図５を参照して説明したように、ユーザは、リモコンの左右ボタンを操作して１つのカードを選択し、決定ボタンを操作して選択カードの処理を開始する。
【００８７】
ステップＳ１０５において、選択カードがアプリケーション設定カードであるか否かを判定する。選択カードがアプリケーション設定カードである場合は、ステップＳ１１１に進む。ステップＳ１１１では、アプリケーション設定カードの拡大表示を行いう。例えば図７を参照して説明したアプリケーション設定カードが表示される。その誤、ユーザの操作に応じたアプリケーション設定処理が行われる。
【００８８】
一方、ステップＳ１０５において、選択カードがアプリケーション設定カードでないと判定した場合は、ステップＳ１０６に進む。すなわち、ポストカードが選択された場合の処理である。
【００８９】
選択カードがポストカードの場合は、ステップＳ１０６において、選択されたポストカードの拡大表示処理を行う。例えば図６を参照して説明したようなポストカード表示処理である。データ送信装置１１０が送信したメッセージに含まれるメッセージ本文（テキスト）と、写真などの画像データを、サーバが選択したテンプレート上に配置した構成を持つポストカードである。
【００９０】
ステップＳ１０７では、拡大処理のなされたポストカードに対応するメッセージ対応の識別情報（フラグ）を、既読を示す識別情報に設定する。この情報がサーバ１２０の記憶部１２１に格納されるメッセージ対応の識別情報として記録される。なお、識別情報の変更は未読メッセージを開封した場合に実行される。既読メッセージに対応するポストカードを選択して拡大表示を実行した場合は、ステップＳ１０７の処理は省略できる。
【００９１】
次に、図１０に示すフローチャートを参照して、サーバ１２０の処理シーケンスについて説明する。
【００９２】
ステップＳ２０１の処理は、データ表示装置１３０に対するサービスを開始する際の初期設定処理である。サーバ１２０は、メッセージ送受信サービスを受けようとするデータ表示装置１３０との間で通信を実行してサービス登録処理を行う。これはデータ表示装置１３０対応のアドレス登録処理や、通信許容アドレスの設定処理などの処理であり、図９のフローのステップＳ１０１の処理に対応する処理である。なお、このサービス登録処理に際して、サーバ１２０はデータ表示装置１３０のアドレスに対応するメッセージ格納領域を記憶部に確保する。この処理は初期設定処理であり、１度実行すればよい。
【００９３】
ステップＳ２０２において、サーバ１２０は、データ送信装置１１０からメッセージを受信する。受信メッセージは、先に説明したように規定のフォーマットに従ったメッセージであり、例えば、以下のデータ、
メッセージ送信先情報（Ｔｏ）：例えば「おじいちゃん、おばあちゃんへ」
メッセージ送信元情報（Ｆｒｏｍ）：例えば「慶子」
メッセージ本文：例えば「お元気ですか・・・・」
メッセージ添付画像：例えば写真１〜３枚
メッセージ送信元アドレス
メッセージ送信先アドレス
これらのデータを構成要素として有するメッセージである。
【００９４】
次に、ステップＳ２０３において、サーバ１２０は受信したメッセージに設定されたメッセージ送信先アドレスが、登録済みアドレスに一致するか否かを判定する。一致する登録アドレスがない場合は、ステップＳ２２１に進み、メッセージの受信拒否を行って処理を終了する。
【００９５】
一方、ステップＳ２０３において、受信したメッセージに設定されたメッセージ送信先アドレスと登録済みアドレスが一致する場合は、ステップＳ２０４に進む。
【００９６】
ステップＳ２０４において、サーバは、受信メッセージを記憶部１２１に格納する。先に図４を参照して説明したように、サーバ１２０の管理する記憶部１２１には、登録済みフドレスに対応するメッセージ格納領域が設定されている。サーバ１２０は、、受信したメッセージに設定されたメッセージ送信先アドレスに対応するメッセージ格納領域にメッセージを記録する。
【００９７】
なお、サーバ１２０は、記憶部１２１にメッセージを格納する際、メッセージの既読／未読を判別するための識別情報（フラグ）を設定して格納する。さらに、メッセージをデータ表示装置に提示する際に利用するテンプレートをリンク情報として設定して格納する。
【００９８】
ステップＳ２０５において、サーバ１２０は、データ表示装置１３０に対して、新着メッセージがあることを示す新着メッセージ受信通知を出力する。なお、この通知処理は先に説明したように例えばデータ表示装置１３０の実行するポーリング処理に応じて行われる。
【００９９】
サーバ１２０は、ステップＳ２０６において、データ表示装置１３０からのメッセージ閲覧要求を受信したことを検知すると、ステップＳ２０７に進み、メッセージ閲覧処理を開始する。
【０１００】
ステップＳ２０７のメッセージ閲覧処理は、図９に示すデータ表示装置１３０側の処理ステップＳ１０３〜１０７に対応してサーバ側で実行する処理が含まれる。
具体的には、図４を参照して説明したポストカードからなるカードリストを作成してデータ表示装置１３０に提供する処理などである。
【０１０１】
ポストカードの各々は、それぞれ１つのメッセージに対応しており、
既読メッセージは、様々なデザインが施された既読メッセージ対応のテンプレートに、データ送信装置１１０が送信したメッセージに含まれるメッセージ本文（テキスト）３５２と、写真などの画像データ３５３，３５４を配置したポストカードとして表示される。例えば図６に示す設定のポストカードである。
また、未読メッセージは、メッセージ送信先情報と、メッセージ送信元情報のみを表示する未読メッセージ対応のテンプレート上にメッセージ送信先情報と、メッセージ送信元情報を配置したポストカードとして表示される。例えば図４に示すポストカード２１６に対応するポストカードである。
【０１０２】
その後は、データ表示装置１３０側のユーザの指定に応じて、ポストカードの拡大表示処理や、未読メッセージの開封処理や、アプリケーションカードを利用したアプリケーション設定処理などが行なわれる。
【０１０３】
なお、未読メッセージの開封処理が実行された場合は、サーバ１２０は、サーバ１２０の記憶部１２１に格納されたメッセージの識別情報（フラグ）を、既読を示す識別情報（フラグ）に変更して設定する処理を実行する。
【０１０４】
［７．各装置のハードウェア構成について］
最後に、図１１を参照して、データ送信装置１１０、サーバ１２０、データ表示装置１３０ハードウェア構成の一例について説明する。
【０１０５】
図１１に示すように、データ送信装置１１０は、各種のプログラムを適用したデータ処理を行う制御部５１１、ネットワークを介した通信を行う通信部５１２、プログラム、パラメータ、画像データ等を記憶する記憶部５１３、例えば画像やユーザインタフェースを表示する表示部５１４、ユーザ操作情報を入力する入力部５１５を有する。なお、例えばタッチパネル式ＵＩなどＵＩを介した入力可能な構成の場合には表示部が入力部を兼ね備える構成となる。
【０１０６】
データ送信装置１１０の制御部５１１は、入力部５１５を介したユーザ操作に応じて、写真の撮影、保存。メッセージ作成、画像を添付したメッセージの送信処理などを実行する。前述したように、送信メッセージは、例えば以下の情報を記入または設定可能なフォーマットにしたがって作成されたメッセージである。
メッセージ送信先情報（Ｔｏ）：例えば「おじいちゃん、おばあちゃんへ」
メッセージ送信元情報（Ｆｒｏｍ）：例えば「慶子」
メッセージ本文：例えば「お元気ですか・・・・」
メッセージ添付画像：例えば写真１〜３枚
メッセージ送信元アドレス
メッセージ送信先アドレス
【０１０７】
次に、サーバ１２０の構成について説明する。図１１に示すように、サーバ１２０は、各種のプログラムを適用したデータ処理を行う制御部５２１、ネットワークを介した通信を行う通信部５２２、プログラム、パラメータ、メッセージ、画像データ、ポストカードに適用するテンプレート情報等を記憶する記憶部５２３（図１の記憶部１２１に対応）を有する。
【０１０８】
サーバ１２０の制御部５２１は、データ送信装置１１０から受信したメッセージを記憶部５２３に格納し、データ表示装置１３０からの閲覧要求に応じてポストカード形式で表示可能としたデータをデータ表示装置１３０に提供する処理を行う。また、記憶部５２３に格納するメッセージに対する様々な属性情報、例えば既読／未読の識別情報の設定や、テンプレートとのリンク情報の設定などの処理も行なう。
【０１０９】
次に、データ表示装置１３０の構成について説明する。図１１に示すように、データ表示装置１３０は、各種のプログラムを適用したデータ処理を行う制御部５３１、ネットワークを介した通信を行う通信部５３２、プログラム、パラメータ、画像データ等を記憶する記憶部５３３、例えば画像やユーザインタフェースを表示する表示部５３４、ユーザ操作情報を入力する入力部５３５を有する。なお、入力部５３５は、例えば咲きに図５を参照して説明したリモコン３００に対応する。
【０１１０】
データ表示装置１３０の制御部５３１は、入力部５３５を介したユーザ操作に応じて、サーバ１２０に対するメッセージ閲覧要求の出力や、図４に示すカードリストからのカードの選択、選択したポストカードの拡大表示処理、未読メッセージの開封処理、アプリケーション設定処理など、様々な処理を行なう。これらの処理は、記憶部５３３に格納されたプログラムであるメッセージ処理アプリケーションを、ＣＰＵ等からなる制御部５３１において実行することによって行われる。
【０１１１】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【０１１２】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１１３】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１１４】
以上、説明したように、本発明の一実施例の構成によれば、例えばテレビ等の表示装置に受信メッセージを表示する構成において、受信メッセージに含まれる情報をテンプレート上に展開したポストカードをサーバから取得して表示する。表示するポストカードは、既読メッセージと、未読メッセージとを判別可能とした異なる表示態様を持つポストカードとした。例えば、既読メッセージについては、メッセージに含まれるメッセージ本文と画像データを配置したポストカード、未読メッセージは、メッセージ送信先と送信元情報のみを含むポストカードとして表示する。この処理によって、ユーザは未読／既読の判別が容易となり、また既読メッセージについては再開封処理を行うことなくメッセージ本文および画像を確認することができる。
【０１１５】
１１０  データ送信装置
１２０  サーバ
１２１  記憶部
１３０  データ表示装置
２００  表示データ
２１１，２１３〜２１６  ポストカード
２１２  アプリケーション設定カード
３００  リモコン
３０１，３０２  左右指示ボタン
３０３  決定ボタン
３５０  ポストカード
３５１  テンプレート
３５２  メッセージ本文
３５３，３５４  画像データ
３８０  表示データ
３８１，３８３〜３８６  ポストカード
３８２  アプリケーション設定カード
５１１  制御部
５１２  通信部
５１３  記憶部
５１４  表示部
５１５  入力部
５２１  制御部
５２２  通信部
５２３  記憶部
５３１  制御部
５３２  通信部
５３３  記憶部
５３４  表示部
５３５  入力部
【図１】
2010176248.tif 000003
【図２】
2010176248.tif 000004
【図３】
2010176248.tif 000005
【図９】
2010176248.tif 000006
【図１０】
2010176248.tif 000007
【図１１】
2010176248.tif 000008
【図４】
2010176248.tif 000009
【図５】
2010176248.tif 000010
【図６】
2010176248.tif 000011
【図７】
2010176248.tif 000012
【図８】
2010176248.tif 000013